(57)【特許請求の範囲】
【請求項１】
煙検出部が筐体の前面から突出して設けられる火災警報器において、
前記筐体外部に突出したときに、前記煙検出部の煙流入口に埃が堆積することを防止する庇部を、前記筐体内部に進退自在に収納し、
前記火災警報器の設置面として天井面または壁面を設定する設置面設定スイッチと、
前記煙検出部の掃除告知警報を行う掃除告知警報手段と、
前記設置面設定スイッチの設定状態に基づいて、前記掃除告知警報手段の掃除告知警報の告知仕様を可変設定する制御手段と、を備え、
前記設置面設定スイッチは、前記庇部が前記筐体内部に収納されたときに前記庇部によって接点が押圧されて、前記設置面として天井面が設定され、一方、前記庇部が前記筐体外部に突出したときに前記接点の押圧が解除されて、前記設置面として壁面が設定されるものであることを特徴とする火災警報器。  
【請求項２】
前記制御手段は、前記設置面が壁面の設定の場合は、天井面の設定の場合よりも前記掃除告知警報の告知間隔を短くするか、または、前記設置面が壁面の設定の場合は、前記掃除告知警報を行う一方、天井面の設定の場合は前記掃除告知警報を行わない、ことを特徴とする請求項１記載の火災警報器。
【発明の詳細な説明】
【技術分野】
【０００１】
本発明は、煙検出部が筐体の前面から突出して設けられる火災警報器に関するものである。
【背景技術】
【０００２】
従来、煙検出部が筐体の前面から突出して設けられる火災警報器が知られている。煙検出部は、内部に検煙空間が設けられ、その周囲に設けられた煙流入口から検煙空間に流入した煙による発光素子からの光の散乱光を受光素子で受光し、受光出力が所定煙濃度以上を示す値になれば火災警報をするように構成されている（例えば、特許文献１、参照）。
【特許文献１】特開２００７‐２８６７９５号公報
【発明の開示】
【発明が解決しようとする課題】
【０００３】
上記のような火災警報器は天井面や壁面などの設置面に取り付けられて使用されるが、煙検出部が筐体の前面から突出して設けられる構成のため、特に壁面に取り付けて長時間使用すると、煙流入口の上部に埃等が堆積し、この埃によって煙検出部内への煙の流入性が低下してしまうという問題があった。また、これを防止するために、設置状況に合わせて、ユーザに定期的な煙検出部の掃除を促したい。
【０００４】
本発明は、前記問題点に鑑みてなされたものであり、その目的は、特に壁面に取り付けたとしても煙の流入性の低下を防止して長時間にわたる正確な煙検出が可能になる火災警報器を提供することにある。また、設置状況に合わせて、ユーザに定期的な煙検出部の掃除を行わせることにある。
【課題を解決するための手段】
【０００５】
この発明は、煙検出部が筐体の前面から突出して設けられる火災警報器において、前記筐体外部に突出したときに、前記煙検出部の煙流入口に埃が堆積することを防止する庇部を、前記筐体内部に進退自在に収納し、前記火災警報器の設置面として天井面または壁面を設定する設置面設定スイッチと、前記煙検出部の掃除告知警報を行う掃除告知警報手段と、前記設置面設定スイッチの設定状態に基づいて、前記掃除告知警報手段の掃除告知警報の告知仕様を可変設定する制御手段と、を備え、前記設置面設定スイッチは、前記庇部が前記筐体内部に収納されたときに前記庇部によって接点が押圧されて、前記設置面として天井面が設定され、一方、前記庇部が前記筐体外部に突出したときに前記接点の押圧が解除されて、前記設置面として壁面が設定されるものであることを特徴とする。
【０００６】
また、前記制御手段は、前記設置面が壁面の設定の場合は、天井面の設定の場合よりも前記掃除告知警報の告知間隔を短くするか、または、前記設置面が壁面の設定の場合は、前記掃除告知警報を行う一方、天井面の設定の場合は前記掃除告知警報を行わない、ことを特徴とする。
【発明の効果】
【０００９】
本発明は、煙検出部が筐体の前面から突出して設けられる火災警報器において、前記筐体外部に突出したときに、前記煙検出部の煙流入口に埃が堆積することを防止する庇部を、前記筐体内部に進退自在に収納するようにしたので、火災警報器を壁面に取り付ける際には、庇部を筐体外部に突出させることによって、煙検出部の煙流入口に埃が堆積することを防止することが可能になるため、壁面に取り付けたとしても煙の流入性の低下を防止して長時間にわたる正確な煙検出が可能になる。また、火災警報器を天井面に取り付ける際には、煙検出部の煙流入口に埃が堆積しにくく、庇部を筐体外部に突出させる必要がないことから、邪魔にならないように、庇部を筐体内部に収納した状態のままとすることができるので、火災警報器を壁面設置用および天井設置用として用いることが可能になる。
【００１０】
また、前記庇部を前記筐体外部方向に付勢する付勢部材と、前記庇部の前記筐体外部への突出を規制するストッパ部材とを備えるようにしたので、ストッパ部材の規制を解除することによって、庇部が付勢部材に付勢されて筐体外部に容易に突出することが可能となる。
【００１１】
また、前記火災警報器の設置面として天井面または壁面を設定する設置面設定スイッチと、前記煙検出部の掃除告知警報を行う掃除告知警報手段と、前記設置面設定スイッチの設定状態に基づいて、前記掃除告知手段の掃除告知警報の告知仕様を可変設定する制御手段と、を備え、前記設置面設置スイッチは、前記庇部が前記筐体内部に収納されたときに前記庇部によって接点が押圧されて、前記設置面として天井面が設定され、一方、前記庇部が前記筐体外部に突出したときに前記接点の押圧が解除されて、前記設置面として壁面が設定されるようにしたので、火災警報器を天井面に取り付ける際には、庇部を筐体内部に収納したままとすることによって、設置面設定スイッチの接点が押圧されているので、制御手段は、設置面設定スイッチの設定状態として天井面設置であることを判別することができて、それに基づいて、掃除警報告知手段の掃除告知警報の告知仕様を設定することができる。一方、火災警報器を壁面に取り付ける際には、庇部を筐体外部に突出させることによって、設置面設定スイッチの接点の押圧が解除されるので、制御手段は、設置面設定スイッチの設定状態として壁面設置であることを判別することができて、それに基づいて、掃除警報告知手段の掃除告知警報の告知仕様を設定して、煙検出部の掃除告知警報を行わせることができる。
【００１２】
また、前記制御手段は、前記設置面が壁面の設定の場合は、天井面の設定の場合よりも前記掃除告知警報の警報間隔を短くするか、または、前記設置面が壁面の設定の場合は、前記掃除告知警報を行う一方、天井面の設定の場合は前記掃除告知警報を行わないようにしたので、制御手段は、火災警報器が壁面に取り付けられている場合と天井面に取り付けられている場合とで、掃除告知警報の頻度を異ならせることが可能になるため、設置状況に合わせて、ユーザに定期的な煙検出部の掃除を行わせることができる。特に、火災警報器を壁面に取り付けた際には、頻繁に掃除告知警報を行うことが可能となる。
【発明を実施するための最良の形態】
【００１３】
以下に、本発明の第１実施例を図１〜図６を参照して詳細に説明する。図１は本発明の実施例１を示す火災警報器の正面図、図２は図１のＡ−Ａ断面図、図３は図２の庇部を筐体外部に突出させた状態を示す図、図４は図１のＢ−Ｂ断面図、図５は図４の庇部を筐体外部に突出させた状態を示す図、図６は煙検出部の内部構造を示す図である。
【００１４】
火災警報器は、警報器本体１と、天井面や壁面などの設置面Ｍに取り付けられて警報器本体１が着脱可能に装着される取付ベース２１と、によって筐体Ｋが構成されている。警報器本体１は、本体部２と、この本体部２に複数のねじ（図示せず）により一体に結合された保護カバー１１とからなっている。
【００１５】
取付ベース２１は、円板状の基板２２、基板２２の外周縁の本体部２側に設けられた周壁２３とからなり、周壁２３には本体部２との係合用の刃受部（図示せず）が設けられている。
【００１６】
本体部２は、円板状の基板３とその外周縁の背面側に立設された周壁４とからなり、周壁４には取付ベース２１との係合用の刃部（図示せず）が設けられている。また、基板３の前面側には、火災警報器が天井面または壁面のいずれに取り付けられているのかを設定する設置面設定スイッチ６が取り付けられている。
【００１７】
保護カバー１１は、中央を開口するリング状の前面壁１２と、その外周縁に設けられた周壁１３とからなり、内部には回路基板５が設置されている。回路基板５には、煙検出部１６、音響部としてのスピーカ１７、音響停止スイッチ１８等が取り付けられて、煙検出部１６は前面壁１２の中央開口から突出して設けられている。また、前面壁１２の下部には、スピーカ１７および音響停止スイッチ１８に対応して、音響孔１４および音響停止スイッチ１８操作用の押し釦１５が設けられている。なお、押し釦１５は、詳細には説明しないが照光式であり、回路基板５には、音響停止スイッチ１８に隣接して表示灯５７（図７）が搭載されている。また、設置面設定スイッチ６は、回路基板５に配線（図示せず）を介して接続されている。
【００１８】
煙検出部１６は、円筒状で内部に検煙空間Ａを有し、側面外周に煙流入口Ｂを備えている。図６に示すように、煙検出部１６の内部には発光素子４０と受光素子４１とが各々の光軸をずらして配置され、各々の光軸の交差点付近が検煙空間Ａを形成している。また、検煙空間Ａの周囲には略Ｊ字状のラビリンス部材４２が所定間隔を有して形成されて、ラビリンス部材４２間に煙流入口Ｂが形成されている。また、ラビリンス部材４２により検煙空間Ａに煙は流入するものの外光は入射しないようになっている。従って、火災等により生じた煙は煙検出部１６の煙流入口Ｂを介して検煙空間Ａに流入することができ、発光素子４１からの光の散乱光を受光素子４２で受光して、受光出力が所定煙濃度以上を示す値になれば火災警報をすることができる。なお、煙流入口Ｂの外周には、虫や埃等の流入を防止するための防虫網（図示せず）が設けられている。
【００１９】
前面壁１２の煙検出部１６の上部には、前面壁１２の内面側から立設して本体部２の基板３に当接する一対の内向きのコ字状のガイドレール部材３２が左右方向に設けられ、前面壁１２には、一対のガイドレール部材３２の間に矩形状の開口部３０が設けられ、また、前面壁１２の外面側には、支点Ｓを中心に回動して、開口部３０を開閉するストッパ部材３４が設けられている。また、一対のガイドレール部材３２の内側には、基部３１ａが上下左右方向に延出形成された板状の庇部３１が設けられ、庇部３１は開口部３０内を通過して筐体Ｋ外部へ突出可能となるように、筐体Ｋ内部に進退自在に収納されている。そして、庇部３１と本体部２の基板３との間には、庇部３１を筐体Ｋ外部方向に付勢する付勢手段としての一対のコイルばね３３が左右方向両端に設けられ、また、前述の設置面設定スイッチ６が中央に設けられている。なお、ガイドレール部材３２は保護カバー１１に設けるようにしたが、本体部３の基板２に設けて、その内面側から立設して前面壁１２の内面側に当接するようにしてもよい。
【００２０】
図２、４に示すように、ストッパ部材３４によって開口部３０の一部を塞いだ状態では、庇部３１の先端部は開口部３０の内側でストッパ部材３４に当接して筐体Ｋ外部への突出を規制されている。このとき、コイルばね３３は圧縮状態となり、また、設置面設定スイッチ６は接点６ａが押圧された状態であり、設置面Ｍとして天井面が設定された状態である。
【００２１】
一方、図３、５に示すように、ストッパ部材３４による開口部３０の閉塞状態を開放すると、コイルばね３３は圧縮状態が解除されて伸長するので、庇部３１は開口部３０の内側を通過して、ガイドレール部材３２にガイドされながら、基部３１ａが前面壁１２の内面側に当接するまで筐体Ｋ外部へ突出する。また、設置面設定スイッチ６は接点６ａの押圧が解除された状態となり、設置面Ｍとして壁面が設置された状態となる。ここで、庇部３１の突出量としては、図１に示すように、火災警報器上部から見て検煙部１６が隠れる程度の幅を確保することが望ましく、また、図３に示すように、火災警報器側面から見て検煙部１６が隠れる程度の長さを確保することが望ましい。また、庇部３１の形状としては、平板状に限らず、煙流入口Ｂと等間隔の距離となる円弧状としてもよい。
【００２２】
以上のような構成の火災警報器は、設置面Ｍに取付ベース２１を螺着などにより取り付け、警報器本体１を取付ベース２１にあてがって、ついで、警報器本体１を周方向に回転させて刃部（図示せず）を取付ベース２１の刃受部（図示せず）に係止させて、取付ベース２１に装着することで設置面Ｍに固定される。
【００２３】
つぎに、設置面Ｍとして壁面に設置した場合は、ストッパ部材３４を回動させて、開口部３０の閉塞状態を開放する。すると図２、４に示すように筐体Ｋ内に収納されている庇部３１は、その先端部の規制が解除されて、基部３１ａ側のコイルばね３３の圧縮状態が解除されて伸長することによって、図３、５に示すように筐体Ｋ外部に突出するので、煙検出部１６の煙流入口Ｂに埃が堆積することを防止することができる。これによって、壁面に取り付けたとしても煙の流入性の低下を防止して長時間にわたる正確な煙検出が可能になる。なお、火災警報器を天井面に取り付ける際には、煙検出部１６の煙流入口に埃が堆積しにくく、庇部３１を筐体Ｋ外部に突出させる必要がないことから、邪魔にならないように、庇部３１を筐体Ｋ内部に収納した状態のままとすることができるので、火災警報器を壁面設置用および天井設置用として用いることが可能になる。
【００２４】
つぎに、この火災警報器の回路構成について説明する。図７は火災警報器の構成を示すブロック図、図８は火災警報器の動作を示すフローチャート、図９は図８の掃除告知判定処理の動作を示すフローチャートである。
【００２５】
図７において、５０は火災警報器を構成する各部に電源を供給する電池、５１はタイマ回路６０と記憶部６１とを有し、火災警報器全体を制御する制御部、５２は電池５１から電源供給されて制御部５１等に定電圧を供給する定電圧回路、５３は発光素子４０と発光回路５４とを有し、制御部５１からの発光制御命令を受けて発光回路５４が発光素子４０を発光させて検煙空間Ａに向けて光を照射する発光部、５６は受光素子４１と増幅回路５５とを有し、検煙空間Ａに煙が流入することによって生じる散乱光を受光素子４１で受光し、その受光出力を増幅回路５５で増幅して制御部５１に出力する受光部である。
【００２６】
また、５７は表示灯、５８は制御部５１からの各種の点灯制御命令を受けて表示灯５７に対応する点灯動作を行わせる表示灯回路、１７は音響部としての前述のスピーカ、５９は制御部５１からの各種の発音制御命令を受けてスピーカ１７から対応する音響を出力させる音声合成回路、１８は前述の音響停止スイッチ、６は前述の設置面設定スイッチであり、庇部３１が筐体Ｋ内に収納された状態では接点６ａが押圧されて閉じることにより設置面Ｍとして天井面を設定した状態となり、また、庇部３１が筐体Ｋ外部に突出した状態では接点６ａの押圧が開放されて開くことにより設置面Ｍとして壁面を設定した状態となる。
【００２７】
なお、発光部５３および受光部５６は図２の煙検出部１６を構成し、また、制御部５１、定電圧回路５２、表示灯５７、表示灯回路５８、および音声合成回路５９は回路基板５に搭載されている。そして、電池５０は、例えば図２の警報器本体１内に収納されている。
【００２８】
なお、音響部１７は、煙検出部１６の掃除告知警報を行う掃除告知警報手段の一例である。また、制御部５１は、設置面設定スイッチ６の設定状態に基づいて、掃除告知手段の掃除告知警報の告知仕様を可変設定する制御手段の一例であり、また、設置面Ｍが壁面の設定の場合は、天井面の設定の場合よりも掃除告知警報の告知間隔を短くするか、または、設置面Ｍが壁面の設定の場合は、掃除告知警報を行う一方、天井面の設定の場合は掃除告知警報を行わない制御手段の一例である。
【００２９】
つぎに、図８のフローチャートに先立って、制御部５１による掃除告知判定処理（図９）の特徴について説明する。前述したように、火災警報器は煙検出部１６が筐体Ｋの前面から突出して設けられる構成のため、設置面Ｍが天井面または壁面のいずれであっても煙流入口Ｂに若干の埃等が堆積する。特に壁面に取り付けて長時間使用すると、煙流入口Ｂの上部に埃等が堆積し、この埃によって煙検出部１６内への煙の流入性が低下してしまう。壁面設置の場合は、例え庇部３１を筐体Ｋ外部に突出させたとしても、天井面と水平方向に流れる気流などによって、天井面設置の場合よりも煙流入口Ｂの上部に埃等が堆積しやすい。そのため、設置面設定スイッチ６の設定状態に基づいて、煙検出部１６の掃除告知警報の告知仕様を可変設定している。具体的には、設置面Ｍが天井面の設定の場合は警報間隔を例えば６ヶ月に設定し、一方、設置面Ｍが壁面の設定の場合は掃除告知警報の警報間隔を例えば１ヶ月に設定して、設置面Ｍが壁面の設定の場合は、天井面の設定の場合よりも掃除告知警報の警報間隔を短くする設定することによって、設置状況に合わせて、ユーザに定期的な煙検出部１６の掃除を促すようにしている。なお、火災警報器を天井面に設置した場合は、煙流入口Ｂに若干の埃等が堆積したとしても、そのほとんどは横向きの気流などによってすぐに落下するので、設置面Ｍが壁面の設定の場合は、掃除告知警報を行う一方、天井面の設定の場合は掃除告知警報を行わないようにしてもよい。
【００３０】
図８は火災警報器の動作を示すフローチャートである。まず、詳細には説明しないが、電池５０のコネクタ（図示せず）が回路基板５のコネクタ（図示せず）に接続されることによって、電源がオンされると（S１）、タイマ回路６０がカウントするタイマカウントをリセットするなどの各種の初期設定を行ってから（S２）、後述する掃除告知判定処理を行い（Ｓ３）、つぎに火災判定処理を行う（Ｓ４）。火災判定処理としては、詳細には説明しないが、制御部５１からの発光制御命令を受けて発光回路５４が発光素子４０を発光させて検煙空間Ａに向けて光を照射し、また、検煙空間Ａに煙が流入することによって生じる散乱光を受光素子４１が受光し、その受光出力を増幅回路５５で増幅して制御部５１に出力し、制御部５１は受光増幅出力が所定煙濃度以上を示す値になっているかどうかを判別することによって、火災かどうかを判定する。
【００３１】
そして、火災であれば（Ｓ５）、例えば、「火事です  火事です。」などの火災警報音を音響部１７から出力させたり、表示灯５７を点灯させるなどの火災警報処理を行い（Ｓ６）、一方、火災でなければ（Ｓ５）、火災警報停止処理を行い（Ｓ７）、ステップＳ３へ戻る。火災警報停止処理としては、音響部１７の警報音停止状態、表示灯５７の無点灯状態である初期状態を維持する処理である。
【００３２】
つぎに、音響停止スイッチ１８のスイッチ状態判定処理を行い、音響停止スイッチ１８がオンされると（Ｓ８）、音響部１７を警報音停止状態とする火災警報音停止処理を行ってから（Ｓ９）、または、音響停止スイッチ１８がオフであれば（Ｓ８）、ステップＳ３へ戻り、以降、ステップＳ３〜Ｓ９の動作を繰り返す。
【００３３】
図９は図８の掃除告知判定処理（Ｓ３）の詳細を示すフローチャートである。まず、設定面設定スイッチ６の設定状態を読み込み、設定面設定スイッチ６がオンされていれば（Ｓ３１）、設置面Ｍとして天井面が設定されているので、掃除告知警報の告知タイミングとして例えば６ヶ月を記憶部６１に格納することによって、掃除告知警報の告知タイミング（警報間隔）を設定し（Ｓ３２）、一方、設定面設定スイッチ６がオフであれば（Ｓ３１）、設置面Ｍとして壁面が設定されているので、掃除告知警報の告知タイミングとして例えば１ヶ月を記憶部６１に格納することによって、掃除告知警報の告知タイミングを設定する（Ｓ３３）。
【００３４】
つぎに、タイマ回路６０がタイマカウントを行ってから（Ｓ３４）、掃除告知警報の告知タイミングが到来したがどうかを判定する（Ｓ３５）。つまり、タイマ回路６０のタイマカウントが記憶部６１に格納した告知タイミング以上を経過した場合は、告知タイミングが到来したとして（Ｓ３５）、例えば、「煙検出部１６の掃除時期になりました。煙流入口Ｂ付近の埃を取り払ってください。」などの掃除告知警報音を音響部１７から出力させたり、表示灯５７を点滅させるなどの掃除告知警報処理を行い（Ｓ３６）、一方、タイマ回路６０のタイマカウントが記憶部６１に格納した告知タイミング以上を経過していなければ、告知タイミングが到来していないとして（Ｓ３５）、掃除告知警報処理を行わない。
【００３５】
そして、音響停止スイッチ１８のスイッチ状態判定処理を行い、音響停止スイッチ１８がオンされると（Ｓ３７）、音響部１７を警報音停止状態とし、また、表示灯５７を消灯状態とする掃除告知警報停止処理を行ってから（Ｓ３８）、タイマ回路６０のタイマカウントをリセットし（Ｓ３９）、また、音響停止スイッチ１８がオフであれば（Ｓ３７）、掃除告知判定処理を終了する。
【００３６】
以上の通り、火災警報器を天井面に取り付ける際には、庇部３１を筐体Ｋ内部に収納したままとすることによって、設置面設定スイッチ６の接点６ａが押圧されているので、制御部５１は、設置面設定スイッチ６の設定状態として天井面設置であることを判別することができて、それに基づいて、掃除警報告知手段の掃除告知警報の告知仕様を設定して、煙検出部１６の掃除告知警報を行わせることができる。一方、火災警報器を壁面に取り付ける際には、庇部３１を筐体Ｋ外部に突出させることによって、設置面設定スイッチ６の接点６ａの押圧が解除されるので、制御部５１は、設置面設定スイッチ６の設定状態として壁面設置であることを判別することができて、それに基づいて、掃除警報告知手段の掃除告知警報の告知仕様を設定して、煙検出部１６の掃除告知警報を行わせることができる。
【００３７】
また、制御部５１は、設置面Ｍが壁面の設定の場合は、天井面の設定の場合よりも掃除告知警報の警報間隔を短くするか、または、設置面Ｍが壁面の設定の場合は、掃除告知警報を行う一方、天井面の設定の場合は掃除告知警報を行わないようにしたので、制御部５１は、火災警報器が壁面に取り付けられている場合と天井面に取り付けられている場合とで、掃除告知警報の頻度を異ならせることが可能になるため、設置状況に合わせて、ユーザに定期的な煙検出部１６の掃除を行わせることができる。特に、火災警報器を壁面に取り付けた際には、頻繁に掃除告知警報を行うことが可能となる。
【図面の簡単な説明】
【００３８】
【図１】本発明の実施例１を示す火災警報器の正面図。
【図２】図１のＡ−Ａ断面図。
【図３】図２の庇部を筐体外部に突出させた状態を示す図。
【図４】図１のＢ−Ｂ断面図。
【図５】図４の庇部を筐体外部に突出させた状態を示す図。
【図６】煙検出部の内部構造を示す図。
【図７】図１の火災警報器の構成を示すブロック図。
【図８】図７の火災警報器の動作を示すフローチャート。
【図９】図８の掃除告知判定処理の詳細を示すフローチャート。
【符号の説明】
【００３９】
１  警報器本体、２  本体部、３  基板、４  周壁、５  回路基板、６  設置面設定スイッチ、６ａ  接点、１１  保護カバー、１２  前面壁、１３  周壁、１４  音響孔、１５  押し釦、１６  煙検出部、１７  音響部（掃除告知警報手段）、１８  音響停止スイッチ、２１  取付ベース、２２  基板、２３  周壁、３０  開口部、３１  庇部、３１ａ  基部、３２  ガイドレール部材、３３  コイルばね（付勢部材）、３４  ストッパ部材、４０  発光素子、４１  受光素子、４２  ラビリンス部材、５０電池、５１  制御部（制御手段）、５２  定電圧回路、５３  発光部、５４  発光回路、５５  増幅回路、５６  受光部、５７  表示灯、５８  表示灯回路、５９  音声合成回路、６０  タイマ回路、６１  記憶部、Ａ  検煙空間、Ｂ  煙流入口、Ｋ  筐体、Ｍ  設置面、Ｓ  支点。
【図１】
0005097597.tif 000002
【図２】
0005097597.tif 000003
【図３】
0005097597.tif 000004
【図４】
0005097597.tif 000005
【図５】
0005097597.tif 000006
【図６】
0005097597.tif 000007
【図７】
0005097597.tif 000008
【図８】
0005097597.tif 000009
【図９】
0005097597.tif 000010